(57)【特許請求の範囲】
【請求項１】
第１表示部を有する第１表示車と、
第２表示部を有する第２表示車と、
正回転および逆回転して前記第１表示車を正回転および逆回転させる駆動部と、
前記第１表示車の正回転時に当該第１表示車のみを正回転させる一方で、前記第１表示車の逆回転時に前記第２表示車を当該第１表示車と共に逆回転させる回転部と
を備え、
前記第１表示車は、円形状に形成され、その外周部に第１クラッチ歯が環状に設けられており、
前記第２表示車は、円形状に形成されて前記第１表示車の外周部に隣接して配置され、その外周部に前記第１クラッチ歯に重なって噛み合う第２クラッチ歯が環状に設けられていることを特徴とする表示装置。
【請求項２】
第１表示部を有する第１表示車と、
第２表示部を有する第２表示車と、
正回転および逆回転して前記第１表示車を正回転および逆回転させる駆動部と、
前記第１表示車の正回転時に当該第１表示車のみを正回転させる一方で、前記第１表示車の逆回転時に前記第２表示車を当該第１表示車と共に逆回転させる回転部と、
前記第１表示車が正回転する際に前記第２表示車の回転を規制する一方で、前記第１表示車が逆回転する際に前記第２表示車の回転規制を解除するように、前記第２表示車の回転を制動する制動部材と、を備え、
前記制動部材は、前記第２表示車に設けられた円形部に弾力的に偏心可能に配置された固定板と、この固定板の外周部に設けられた第１鋸歯と、前記第２表示車の前記円形部の内周部に設けられて前記第１鋸歯に弾力的に係脱可能に係合する第２鋸歯とを有し、前記第１表示車が正回転する際に、前記第１鋸歯と前記第２鋸歯とが係合して前記第２表示車の回転を規制する一方で、前記第１表示車が逆回転する際に、前記第１鋸歯と前記第２鋸歯との係合が順次解除されることを特徴とする表示装置。
【請求項３】
請求項１又は２に記載の表示装置において、前記回転部は、前記第１表示車に設けられた第１クラッチ歯と、前記第２表示車に設けられて前記第１クラッチ歯に噛み合う第２クラッチ歯とを有し、前記第１クラッチ歯と前記第２クラッチ歯とが上下に重なり合った状態で、前記第１表示車の正回転時に前記第１クラッチ歯と前記第２クラッチ歯との噛み合いがずれて当該第１表示車のみを正回転させる一方で、前記第１表示車の逆回転時に前記第１クラッチ歯と前記第２クラッチ歯とが噛み合って回転して前記第２表示車を当該第１表示車と共に逆回転させることを特徴とする表示装置。
【請求項４】
請求項３に記載の表示装置において、前記第１クラッチ歯と前記第２クラッチ歯とのそれぞれは、前記第１表示車の正回転方向に向けて緩やかに傾斜する滑り面と、前記第１表示車の逆回転方向に位置する前記滑り面の端部に設けられた押圧面とを有していることを特徴とする表示装置。
【請求項５】
請求項２に記載の表示装置において、前記第１表示車は、その中心部に円形孔が形成されたリング状に形成され、前記円形孔の内周部に前記第１クラッチ歯が環状に設けられており、
前記第２表示車は、前記第１表示車の前記円形孔内に回転可能に配置される円形状に形成され、その外周部に前記第１クラッチ歯に重なって噛み合う前記第２クラッチ歯が環状に設けられていることを特徴とする表示装置。
【請求項６】
請求項１に記載の表示装置において、前記第１表示車が正回転する際に前記第２表示車の回転を規制する一方で、前記第１表示車が逆回転する際に前記第２表示車の回転規制を解除するように、前記第２表示車の回転を制動する制動部材を備えていることを特徴とする表示装置。
【請求項７】
請求項６に記載の表示装置において、前記制動部材は、前記第２表示車の下側に配置されて前記第２クラッチ歯を前記第１クラッチ歯に弾力的に押し付ける板ばね部を有し、この板ばね部は、前記第１表示車の正回転方向に向けて徐々に立ち上がる状態で傾斜し、前記第１表示車が正回転する際に、前記板ばね部の先端が前記第２表示車に設けられた傾斜凹部に係止される一方で、前記第１表示車が逆回転する際に、前記板ばね部が弾性変形して前記傾斜凹部から離脱することを特徴とする表示装置。
【請求項８】
請求項６に記載の表示装置において、前記制動部材は、前記第２表示車に設けられた円形部に弾力的に偏心可能に配置された固定板と、この固定板の外周部に設けられた第１鋸歯と、前記第２表示車の前記円形部の内周部に設けられて前記第１鋸歯に弾力的に係脱可能に係合する第２鋸歯とを有し、前記第１表示車が正回転する際に、前記第１鋸歯と前記第２鋸歯とが係合して前記第２表示車の回転を規制する一方で、前記第１表示車が逆回転する際に、前記第１鋸歯と前記第２鋸歯との係合が順次解除されることを特徴とする表示装置。
【請求項９】
請求項１〜８のいずれか一項に記載の表示装置を収納する機器ケースを備えていることを特徴とする電子機器。
【発明の詳細な説明】
【技術分野】
【０００１】
この発明は、時計やカレンダー装置、あるいは計器類のメータなどの機器に用いられる表示装置および電子機器に関する。
【背景技術】
【０００２】
例えば、電子時計においては、特許文献１に記載されているように、駆動源としてのモータが正回転した際に時刻系輪列が正回転して指針を運針させても、日車や月車が回転されず、モータが逆回転した際に時刻系輪列を介して日車や月車が回転して日付や月表示を切り替えて更新するように構成されたものが知られている。
【先行技術文献】
【特許文献】
【０００３】
【特許文献１】特開昭５４−２４６７４号公報
【０００４】
このような電子時計の表示装置では、日車に１日から３１日までの日付が表示されているため、小の月のときに日付が３１日になると、それをカレンダー検出機構で検出して制御回路を制御し、日付をもう１日送るように構成する必要がある。このため、この電子時計の表示装置は、月車の回転を規制する月曜制レバー、日車が３１日を表示する位置に設けられた導電ピン、および絶縁部を有して導電ピンに接離するスイッチばねを備え、これらによって小の月の３１日のカレンダーを検出するように構成されている。
【０００５】
このような電子時計の表示装置では、月車の表示が大の月のときに、月曜制レバーがスイッチばねの絶縁部を外側に押し上げて、スイッチばねと導電ピンとの接触を防ぎ、また月車の表示が小の月のときに、月曜制レバーがスイッチばねの絶縁部を押し上げずに、スイッチばねが導電ピンに接触することにより、小の月の３１日のカレンダーを検出するように構成されている。
【発明の概要】
【発明が解決しようとする課題】
【０００６】
しかしながら、このような電子時計の表示装置では、小の月の３１日のカレンダーを検出するために、月車の回転を規制する月曜制レバー、日車が３１日を表示する位置に設けられた導電ピン、および絶縁部を有して導電ピンに接離するスイッチばねなどの各種の部品が必要になるため、部品点数が多く、組立作業も煩雑で、故障の原因になり易いなどの問題がある。
【０００７】
この発明が解決しようとする課題は、構造が簡単で、駆動源の正回転および逆回転によって複数の表示を容易に且つ適確に切り替えることができる表示装置および電子機器を提供することである。
【課題を解決するための手段】
【０００８】
この発明は、第１表示部を有する第１表示車と、第２表示部を有する第２表示車と、正回転および逆回転して前記第１表示車を正回転および逆回転させる駆動部と、前記第１表示車の正回転時に当該第１表示車のみを正回転させる一方で、前記第１表示車の逆回転時に前記第２表示車を当該第１表示車と共に逆回転させる回転部とを備え、前記第１表示車は、円形状に形成され、その外周部に第１クラッチ歯が環状に設けられており、前記第２表示車は、円形状に形成されて前記第１表示車の外周部に隣接して配置され、その外周部に前記第１クラッチ歯に重なって噛み合う第２クラッチ歯が環状に設けられていることを特徴とする表示装置である。
また、この発明は、第１表示部を有する第１表示車と、第２表示部を有する第２表示車と、正回転および逆回転して前記第１表示車を正回転および逆回転させる駆動部と、前記第１表示車の正回転時に当該第１表示車のみを正回転させる一方で、前記第１表示車の逆回転時に前記第２表示車を当該第１表示車と共に逆回転させる回転部と、前記第１表示車が正回転する際に前記第２表示車の回転を規制する一方で、前記第１表示車が逆回転する際に前記第２表示車の回転規制を解除するように、前記第２表示車の回転を制動する制動部材と、を備え、前記制動部材は、前記第２表示車に設けられた円形部に弾力的に偏心可能に配置された固定板と、この固定板の外周部に設けられた第１鋸歯と、前記第２表示車の前記円形部の内周部に設けられて前記第１鋸歯に弾力的に係脱可能に係合する第２鋸歯とを有し、前記第１表示車が正回転する際に、前記第１鋸歯と前記第２鋸歯とが係合して前記第２表示車の回転を規制する一方で、前記第１表示車が逆回転する際に、前記第１鋸歯と前記第２鋸歯との係合が順次解除されることを特徴とする表示装置である。
【発明の効果】
【０００９】
この発明によれば、第１表示車の正回転時に当該第１表示車のみを正回転させる一方で、第１表示車の逆回転時に第２表示車を当該第１表示車と共に逆回転させることができ、簡単な構造で、駆動源の正回転および逆回転によって複数の表示を容易に且つ適確に切り替えることができる。
【図面の簡単な説明】
【００１０】
【図１】この発明を電子腕時計に適用した第１実施形態を示した拡大正面図である。
【図２】図１に示された電子腕時計の時計モジュールにおけるカレンダー機構部を示した要部の拡大正面図である。
【図３】図２に示されたカレンダー機構部のＡ−Ａ矢視における要部を示した拡大断面図である。
【図４】図２に示されたカレンダー機構部の第１表示車を示し、（ａ）はその拡大正面図、（ｂ）はそのＢ−Ｂ矢視における拡大断面図である。
【図５】図２に示されたカレンダー機構部の第２表示車を示し、（ａ）はその拡大正面図、（ｂ）はそのＣ−Ｃ矢視における拡大断面図、（ｃ）はそのＤ−Ｄ矢視における要部を示した拡大断面図である。
【図６】図３に示されたカレンダー機構部の制動部材を示し、（ａ）はその拡大正面図、（ｂ）はそのＥ−Ｅ矢視における要部を示した拡大断面図である。
【図７】図２に示されたカレンダー機構部における第１表示車の第１クラッチ歯と第２表示車の第２クラッチ歯との噛み合い部分の一部を示した拡大正面図である。
【図８】図７に示された第１表示車の第１クラッチ歯と第２表示車の第２クラッチ歯とが噛み合う部分のＦ−Ｆ矢視における要部を示した拡大断面図である。
【図９】図３に示しされた第２表示車の傾斜凹部と制動部材の板ばね部との対応関係を示し、（ａ）は第２表示車の傾斜凹部に制動部材の板ばね部が係合した状態を示した要部の拡大断面図、（ｂ）は第２表示車が空転する際に第２表示車の傾斜凹部に制動部材の板ばね部が係合して押し下げられて弾性変形した状態を示した要部の拡大断面図、（ｃ）は第１表示車の逆回転に伴って第２表示車が回転する際に、第２表示車の傾斜凹部から制動部材の板ばね部が離脱する状態を示した要部の拡大断面図である。
【図１０】図２に示されたカレンダー機構部において、第１表示車が正回転する際における第１表示車の第１クラッチ歯と第２表示車の第２クラッチ歯とが噛み合う部分の動作状態を示し、（ａ）は第１表示車の正回転時における要部の拡大正面図、（ｂ）は第１クラッチ歯と第２クラッチ歯とが互いに滑り合って第２表示車が空転する状態を示した要部の拡大断面図、（ｃ）は第２表示車の傾斜凹部に制動部材の板ばね部が係合して押し下げられて弾性変形した状態を示した要部の拡大断面図である。
【図１１】図２に示されたカレンダー機構部において第１表示車が逆回転する際における第１表示車の第１クラッチ歯と第２表示車の第２クラッチ歯とが噛み合う部分の動作状態を示し、（ａ）は第１表示車の逆回転時における要部の拡大正面図、（ｂ）は第１クラッチ歯と第２クラッチ歯とが噛み合って第２表示車が第１表示車と共に回転する状態を示した要部の拡大断面図、（ｃ）は第２表示車の回転に伴って第２表示車の傾斜凹部から制動部材の板ばね部が離脱する状態を示した要部の拡大断面図である。
【図１２】図１に示された電子腕時計における時計モジュールの回路構成を示したブロック図である。
【図１３】図１２に示された回路構成における制御部のＣＰＵによる実行される時計駆動およびカレンダー駆動の制御処理における動作フローを示した図である。
【図１４】図１３に示された制御処理におけるカレンダー機構部の日付変更処理における動作フローを示した図である。
【図１５】図１４に示された日付変更処理の月末における日付の変更状態を示し、（ａ）は月末における２３時５９分５０秒における日付表示の状態を示した図、（ｂ）はその表示状態で第１表示車を逆回転させて次の日にちの２桁目の表示を変更した状態を示した図、（ｃ）はその変更した表示状態で第１表示車を正回転させて１桁目の日付を変更して日付を更新した状態を示した図である。
【図１６】この発明を電子腕時計に適用した第２実施形態において、カレンダー機構部を示した要部の拡大正面図である。
【図１７】図１６に示されたカレンダー機構部のＧ−Ｇ矢視における要部を示した拡大断面図である。
【図１８】図１６に示されたカレンダー機構部における第１表示車の第１クラッチ歯と第２表示車の第２クラッチ歯とが噛み合う部分を示し、（ａ）はその要部を示した拡大正面図、（ｂ）はそのＨ−Ｈ矢視における要部を示した拡大断面図、（ｃ）は第２表示車の傾斜凹部と制動部材の板ばね部との係合状態を示した要部の拡大断面図である。
【図１９】図１８に示されたカレンダー機構部において、第１表示車が正回転する際における第１表示車の第１クラッチ歯と第２表示車の第２クラッチ歯とが噛み合う部分の動作状態を示し、（ａ）は第１表示車の正回転時における要部を示した拡大正面図、（ｂ）は第１クラッチ歯と第２クラッチ歯とが互いに滑り合って第２表示車が空転する状態を示した要部の拡大断面図、（ｃ）は第２表示車の傾斜凹部に制動部材の板ばね部が係合して押し下げられて弾性変形した状態を示した要部の拡大断面図である。
【図２０】図１８に示されたカレンダー機構部において、第１表示車が逆回転する際における第１表示車の第１クラッチ歯と第２表示車の第２クラッチ歯とが噛み合う部分の動作状態を示し、（ａ）は第１表示車の逆回転時における要部を示した拡大正面図、（ｂ）は第１クラッチ歯と第２クラッチ歯とが噛み合って第２表示車が第１表示車と共に回転する状態を示した要部の拡大断面図、（ｃ）は第２表示車の回転に伴って第２表示車の傾斜凹部から制動部材の板ばね部が離脱する状態を示した要部の拡大断面図である。
【図２１】この発明を電子腕時計に適用した第３実施形態において、カレンダー機構部を示した要部の拡大正面図である。
【図２２】図２１に示されたカレンダー機構部のＩ−Ｉ矢視における要部を示した拡大断面図である。
【図２３】図２１に示されたカレンダー機構部の制動部材を示した拡大正面図である。
【図２４】図２１に示されたカレンダー機構部の制動部材と第２表示車との制動状態を示し、（ａ）は第１表示車が正回転する際に第２表示車の第２鋸歯が制動部材の第１鋸歯に噛み合って第２表示車が位置規制されて空転する状態を示した要部の拡大正面図、（ｂ）は第１表示車が逆回転する際に第２表示車の第２鋸歯と制動部材の第１鋸歯との噛み合いがずれて第２表示車が第１表示車と共に回転する状態を示した要部の拡大正面図である。
【図２５】この発明の第３実施形態における制動部材を用いたカレンダー機構部の変形例を示した要部の拡大正面図である。
【図２６】この発明の第１実施形態および第３実施形態のカレンダー機構部において、カレンダー表示の変形例を示した要部の拡大正面図である。
【図２７】この発明の第２実施形態のカレンダー機構部において、カレンダー表示の他の変形例を示した要部の拡大正面図である。
【図２８】この発明を電子腕時計に適用した第４実施形態において、カレンダー機構部を示した要部の拡大正面図である。
【図２９】図２８に示されたカレンダー機構部のＪ−Ｊ矢視における要部を示した拡大断面図である。
【図３０】図２８に示されたカレンダー機構部の第１表示車を示した拡大正面図である。
【図３１】図２８に示されたカレンダー機構部の第２表示車を示した拡大正面図である。
【図３２】この発明の第４実施形態における第２表示車の変形例を示した拡大正面図である。
【図３３】この発明の第４実施形態におけるカレンダー機構の変形例を示した要部の拡大正面図である。
【図３４】図３３に示されたカレンダー機構の第１表示部を示した拡大平面図である。
【図３５】図３３に示されたカレンダー機構の第２表示部を示した拡大平面図である。
【発明を実施するための形態】
【００１１】
（第１実施形態）
以下、図１〜図１５を参照して、この発明を指針式の電子腕時計に適用した第１実施形態について説明する。
この電子腕時計は、図１に示すように、腕時計ケース１を備えている。この腕時計ケース１内には、時計モジュール２が収納されている。この時計モジュール２は、秒針、分針、時針などの指針３を運針させて時刻を指示する時計機構部（図示せず）を備えているほか、図２に示すように、日付を表示するカレンダー機構部４を備えている。
【００１２】
時計機構部は、図示しないが、時計用のステップモータの回転を輪列機構によって秒針車、分針車、時針車などの指針車に伝達して指針車を回転させることにより、指針車の指針軸に取り付けられた指針３を運針させて時刻を指示するように構成されている。また、カレンダー機構部４は、図２に示すように、第１表示車５と第２表示車６とを備え、日付を表示するように構成されている。
【００１３】
このカレンダー機構部４の第１表示車５は、図２および図４に示すように、円板の中心部に円形孔５ａを有するリング形状に形成されており、第２表示車６は、図２、図３および図５に示すように、第１表示車５の円形孔５ａ内に回転可能な状態で配置される円形状に形成されている。この場合、第１表示車５の上面には、図２に示すように、日付の１桁目である０から９までの第１日付表示部７が環状に設けられている。また、第２表示車６の上面には、日付の２桁目である１から３までの第２日付表示部８が環状に沿って所定間隔（例えば９０度の角度間隔）で設けられている。
【００１４】
この第１表示車５と第２表示車６とは、図３に示すように、時計モジュール２のハウジング１０上に回転可能に配置されている。第１表示車５は、図２に示すように、カレンダー機構部４専用の駆動源であるステップモータ１１によって回転するように構成されている。すなわち、この第１表示車５は、ステップモータ１１の回転が伝達車１２を介して伝達されて回転するように構成されている。
【００１５】
この場合、ステップモータ１１は、図２に示すように、コイルが巻き付けられたステータ１１ａと、このステータ１１ａに発生する磁界によって回転するロータ１１ｂとを備え、このロータ１１ｂが正回転および逆回転するように構成されている。伝達車１２は、ステップモータ１１のロータ１１ｂのカナに噛み合って回転するように構成されている。第１表示車５は、その外周部に設けられた歯部５ｂが伝達車１２のカナ１２ａに噛み合って回転するように構成されている。
【００１６】
ところで、第１表示車５と第２表示車６とは、図３〜図５に示すように、第１表示車５の正回転時に第１表示車５のみを正回転させる一方で、第１表示車５の逆回転時に第２表示車６を第１表示車５と共に逆回転させるための一方向回転部１３を備えている。この一方向回転部１３は、図７および図８に示すように、第１表示車５の円形孔５ａの内周部に設けられた第１クラッチ歯１４と、第２表示車６の外周部に設けられて第１クラッチ歯１４に噛み合う第２クラッチ歯１５とを有している。
【００１７】
この第１クラッチ歯１４と第２クラッチ歯１５とは、図３に示すように、上下に重なり合うように構成されている。すなわち、第１クラッチ歯１４は、第１表示車５の円形孔５ａにおける内周面の上部にその内側に向けて突出した状態で設けられている。第２クラッチ歯１５は、第２表示車６の外周面の下部にその外側に向けて突出した状態で設けられている。これにより、第１クラッチ歯１４は、第２クラッチ歯１５の上側に重なり合った状態で配置されている。
【００１８】
また、第１クラッチ歯１４は、図７および図８に示すように、第１表示車５の正回転方向（反時計回り方向）に沿って緩やかに上昇して傾斜する滑り面１４ａと、第１表示車５の逆回転方向（時計回り方向）に位置する滑り面１４ａの端部にほぼ垂直または鋭角に設けられた押圧面１４ｂとを有している。同様に、第２クラッチ歯１５は、第１表示車５の正回転方向に向けて緩やかに上昇して傾斜する滑り面１５ａと、第１表示車５の逆回転方向に位置する滑り面１５ａの端部にほぼ垂直または鋭角に設けられた押圧面１５ｂとを有している。
【００１９】
これにより、一方向回転部１３は、図１０（ａ）および図１０（ｂ）に示すように、第１表示車５が正回転（反時計回り方向）する際に、第１クラッチ歯１４の滑り面１４ａと第２クラッチ歯１５の滑り面１５ａとが相互に滑り合って、第１クラッチ歯１４と第２クラッチ歯１５との噛み合いがずれることにより、第１表示車５のみを正回転させるように構成されている。
【００２０】
また、この一方向回転部１３は、図１１（ａ）および図１１（ｂ）に示すように、第１表示車５が逆回転（時計回り方向）する際に、第１クラッチ歯１４の押圧面１４ｂと第２クラッチ歯１５の押圧面１５ｂとが相互に当接して押圧し合うことにより、第１クラッチ歯１４と第２クラッチ歯１５とが噛み合った状態で、第２表示車６を第１表示車５と共に逆回転させるように構成されている。
【００２１】
この場合、第１表示車５と第２表示車６との上側には、図３に示すように、文字板１６が配置されている。この文字板１６の３時側に位置する箇所には、図２に示すように、第１、第２の各日付表示部７、８の一部が対応する表示窓部１６ａが設けられている。これに伴って第１クラッチ歯１４と第２クラッチ歯１５とは、文字板１６の表示窓部１６ａにおける回転方向側の長さが所定の長さ、例えば表示窓部１６ａの１／４程度の長さで形成されている。
【００２２】
すなわち、第１クラッチ歯１４と第２クラッチ歯１５とは、図８に示すように、第１表示車５の回転方向における長さ（ピッチ）が表示窓部１６ａの径方向における長さの所定長さ、例えば１／４程度の長さで形成されている。このため、第１クラッチ歯１４と第２クラッチ歯１５とは、表示窓部１６ａに対してそれぞれ所定の歯数、例えば４歯ずつ対応して配置されるように構成されている。
【００２３】
一方、第２表示車６と時計モジュール２のハウジング１０との間には、図３に示すように、制動部材１７が配置されている。この制動部材１７は、図６（ａ）および図６（ｂ）に示すように、第２表示車６とほぼ同じ大きさの円板状に形成され、その所定箇所に設けられた取付孔１７ａにハウジング１０上の突起ピン１０ａが挿入することにより、ハウジング１０上に固定されている。この制動部材１７には、第２表示車６を弾力的に押し上げて第２クラッチ歯１５を第１クラッチ歯１４に弾力的に押し付ける複数の板ばね部１８が設けられている。
【００２４】
この複数の板ばね部１８は、図６（ａ）および図６（ｂ）に示すように、制動部材１７の１２時、３時、６時、９時の４箇所に、第１表示車５の逆回転方向（図６（ｂ）では左側）に向けて斜めに立ち上がるように傾斜した状態で設けられている。また、この複数の板ばね部１８は、図５および図９に示すように、第２表示車６の下面における１２時、３時、６時、９時の４箇所に設けられた複数の傾斜凹部２０にそれぞれ係脱可能に係止されるように構成されている。
【００２５】
この複数の傾斜凹部２０は、図５および図９に示すように、第１表示車５の逆回転方向（図５（ｃ）では左側）に向けて斜めに立ち上がる傾斜面２０ａと、この傾斜面２０ａにおける第１表示車５の逆回転方向に位置する端部にほぼ垂直に設けられた当接面２０ｂとを有している。また、この傾斜凹部２０は、第１表示車５の正回転に伴って第２表示車６が回転する際に板ばね部１８の先端部が傾斜面２０ａに沿って移動して当接面２０ｂに当接する一方で、第１表示車５の逆回転に伴って第２表示車６が回転する際に板ばね部１８の先端部が傾斜面２０ａに沿って移動して離脱するように構成されている。
【００２６】
これにより、制動部材１７は、図１０（ａ）〜図１０（ｃ）に示すように、第１表示車５が正回転する際に、第２表示車６の回転に伴って板ばね部１８の先端が第２表示車６の傾斜凹部２０の傾斜面２０ａに沿って相対的に移動し、この板ばね部１８の先端が傾斜凹部２０の当接面２０ｂに当接して係止されることにより、第２表示車６の回転を阻止するように構成されている。
【００２７】
また、この制動部材１７は、図１０（ａ）〜図１０（ｃ）に示すように、板ばね部１８が第２表示車６の回転を阻止した状態で、第１表示車５の正回転に伴って第１クラッチ歯１４の滑り面１４ａと第２クラッチ歯１５の滑り面１５ａとが相互に滑り合って、第１クラッチ歯１４と第２クラッチ歯１５との噛み合いがずれる際に、板ばね部１８が第２表示車６によって押し下げられることにより、板ばね部１８が上下に弾性変形して、第１クラッチ歯１４と第２クラッチ歯１５との噛み合いを順次ずらすように構成されている。
【００２８】
さらに、この制動部材１７は、図１１（ａ）〜図１１（ｃ）に示すように、第１表示車５が逆回転する際に、第２表示車６の回転に伴って板ばね部１８の先端が第２表示車６の傾斜凹部２０の傾斜面２０ａに沿って相対的に移動して傾斜凹部２０内から離脱することにより、第２表示車６の回転規制を解除して、第２表示車６を第１表示車５と共に逆回転させるように構成されている。
【００２９】
次に、図１２のブロック図を参照して、この指針式の電子腕時計の回路構成について説明する。
この指針式の電子腕時計は、秒針、分針、時針などの指針３を駆動する時計駆動系２５と、日付を切り替えるカレンダー駆動系２６とを備えている。時計駆動系２５は、時計系輪列２８を介して指針３を駆動する時計用のステップモータ２７を備えている。カレンダー駆動系２６は、伝達車１２を介して第１表示車５を駆動するカレンダー用のステップモータ１１を備えている。
【００３０】
また、この指針式の電子腕時計は、ＣＰＵ（中央演算処理装置）などを内臓して時計の全体的な統括制御を行う制御部３０と、この制御部３０のＣＰＵに作業用のメモリ空間を提供するＲＡＭ（ランダム・アクセス・メモリ）３１と、制御部３０のＣＰＵにより実行される種々のプログラムや初期設定データなどを格納するＲＯＭ（リード・オンリー・メモリ）３２とを備えている。
【００３１】
さらに、この指針式の電子腕時計は、一定周波数の発振信号を生成して出力する発振回路３３と、この発振回路３３から入力された発振信号を分周して時刻表示などの運針の基準となる周波数信号を生成する分周回路３４と、ユーザによる操作を電気信号に変換して制御部３０に出力するスイッチ部３５と、制御部３０からの制御信号に基づきステップモータ２７、１１に駆動パルスを出力してステップ駆動させる第１、第２の各駆動回路３６、３７などを備えている。
【００３２】
制御部３０は、時刻のカウントをする計時処理や、この計時処理によって得られた時刻データ、およびスイッチ部３５からの入力信号などに基づいて設定されたパルス幅や電圧値の駆動パルスを、第１、第２の各駆動回路３６、３７から各ステップモータ２７、１１に出力させる処理を行うように構成されている。
【００３３】
第１、第２の駆動回路３６、３７は、指針３を運針させる時計用のステップモータ２７と、第１表示車５を回転させるカレンダー用のステップモータ１１とを、それぞれステップ駆動させるための駆動パルスを出力するように構成されている。この第１、第２の駆動回路３６、３７から各ステップモータ２７、１１に出力される駆動パルスは、制御部３０からの指令に基づいて、信号の長さや電圧値、すなわち各ステップモータ２７、１１に流す電流量が変更されるようになっている。
【００３４】
次に、この指針式の電子腕時計における時計駆動系２５およびカレンダー駆動系２６を駆動する動作手順について、図１３に示す動作フローを参照して説明する。この場合、図１３は制御部３０のＣＰＵにより実行される制御処理の手順を示す図である。
この制御処理は、分周回路３４から制御部３０に入力する１Ｈｚ（ヘルツ）の信号に基づいて制御部３０のＣＰＵにより開始される割り込み処理である。この割り込み処理が指針３の駆動タイミングに呼び出されて開始されると、ステップＳ１で計時処理を行う。
【００３５】
すなわち、ＲＡＭ３１に記憶されている現在時刻データに＋１秒して現在時刻データを更新する。ＣＰＵの処理がステップＳ２に移行すると、ＣＰＵは、駆動パルスを時計用のステップモータ２７に供給するように第１駆動回路３６に指令を送り、時計用のステップモータ２７を１ステップ回転させる。これにより、ステップモータ２７の回転が指針３に伝達され、この指針３が運針して時刻を指示する。ＣＰＵの処理がステップＳ３に移行すると、ＣＰＵは、日付を更新する日付変更処理を行って、この動作フローを終了する。
【００３６】
次に、カレンダー駆動系２６を駆動して日付を切り替える日付変更処理の動作手順について、図１４に示す動作フローを参照して説明する。
この日付変更処理が開始すると、ＣＰＵはステップＳ１０で今日が月末であるか否かを判断する。このとき、ＣＰＵが月末でないと判断したときには、ステップＳ１１に進んで、次の日にちは２桁目が変わるか否かを判断し、２桁目が変わらない場合には、ステップＳ１２に進んで、２３時５９分５０秒であるか否かを判断する。
【００３７】
このとき、２３時５９分５０秒でなければ、メインフローの制御処理に戻って、２３時５９分５０秒になるまで待機する。ステップＳ１２でＣＰＵが２３時５９分５０秒であると判断したときには、ステップＳ１３に進んで、カレンダー用のステップモータ１１に正回転用の駆動パルスを出力する指令を第２駆動回路３７に与えて、ステップモータ１１を正回転させ、第１表示車５を正回転させる。このときには、第１表示車５を日付の１日分、例えば第１クラッチ歯１４の４歯分だけ正回転させる。
【００３８】
これにより、文字板１６の表示窓部１６ａに対応する第１表示車５の１桁目の第１日付表示部７を更新させて、メインフローの制御処理に戻る。このときには、第１表示車５が回転しても、第２表示車６は回転しない。すなわち、第１表示車５が正回転する際には、図１０（ｃ）に示すように、制動部材１７の板ばね部１８の先端が第２表示車６の傾斜凹部２０の当接面２０ｂに当接し、第２表示車６の回転が阻止されている。
【００３９】
このため、図１０（ｂ）に示すように、第１表示車５の第１クラッチ歯１４の滑り面１４ａと第２表示車６の第２クラッチ歯１５の滑り面１５ａとが相互に滑り合って、第１クラッチ歯１４と第２クラッチ歯１５との噛み合いがずれる。このときには、制動部材１７の板ばね部１８が第２表示車６によって押し下げられて弾性変形しながら、第１クラッチ歯１４と第２クラッチ歯１５との噛み合いが順次ずれる。
【００４０】
これにより、第１表示車５のみが正回転して、文字板１６の表示窓部１６ａに対応する１桁目の日付である第１日付表示部７の日付が１日分だけ切り替わって更新される。このときには、第２表示車６が空転し、２桁目の日付である第２日付表示部８の日付はそのままの状態を維持する。
【００４１】
また、ステップＳ１１で、ＣＰＵが次の日にちは２桁目が変わると判断したときには、ステップＳ１４に進んで、２３時５９分５０秒であるか否かを判断する。このとき、２３時５９分５０秒でなければ、メインフローの制御処理に戻って、２３時５９分５０秒になるまで待機する。ステップＳ１４でＣＰＵが２３時５９分５０秒であると判断したときには、ステップＳ１５に進んで、カレンダー用のステップモータ１１に逆回転用の駆動パルスを出力する指令を第２駆動回路３７に与えて、ステップモータ１１を逆回転させる。
【００４２】
すると、第１表示車５が逆回転し、第２表示車６を第１表示車５と共に逆回転させて２桁目の第２日付表示部８を更新する。このときには、第１表示車５が第２表示車６における第２日付表示部８の１つの表示分、例えば第１クラッチ歯１４の１４歯分だけ逆回転して、第２表示車６を第２日付表示部８の１つの表示分だけ回転させて２桁目の第２日付表示部８を更新する。このように第１表示車５が逆回転する際には、図１１（ｃ）に示すように、制動部材１７の板ばね部１８の先端が第２表示車６の傾斜凹部２０の傾斜面２０ａに沿って相対的に移動して傾斜凹部２０から離脱するので、第２表示車６の回転規制が解除される。
【００４３】
このため、図１１（ｂ）に示すように、第１表示車５の第１クラッチ歯１４の押圧面１４ｂと第２表示車６の第２クラッチ歯１５の押圧面１５ｂとが相互に当接し合って、第１クラッチ歯１４と第２クラッチ歯１５とが噛み合った状態となり、この状態で第２表示車６が第１表示車５と共に逆回転する。このときには、第１表示車５が逆回転して文字板１６の表示窓部１６ａに対応する１桁目の第１日付表示部７が所定角度、例えば３日前に戻ると共に、第２表示車６が回転して文字板１６の表示窓部１６ａに対応する２桁目の第２日付表示部８が１つの表示分だけ繰り上がって切り替わる。
【００４４】
このように第２表示車６の２桁目の第２日付表示部８を切り替えて更新すると、ＣＰＵはステップＳ１６に進んで、カレンダー用のステップモータ１１に正回転用の駆動パルスを出力する指令を第２駆動回路３７に与えて、ステップモータ１１を正回転させ、第１表示車５を第１日付表示７の日付の更新分、例えば第１クラッチ歯１４の１８歯分だけ正回転させる。
【００４５】
すなわち、第１表示車５はステップＳ１５で逆回転して３日分、例えば第１クラッチ歯１４の１４歯分だけ前日側に戻っているので、その逆回転した分だけ第１表示車５を正回転させた上、更に１日分、例えば第１クラッチ歯１４の４歯分だけ第１表示車５を正回転させる。このときにも、第２表示車６は空転し、２桁目の日付である第２日付表示部８の日付はそのままの状態を維持する。これにより、文字板１６の表示窓部１６ａに対応する第１表示車５の１桁目の第１日付表示部７および第２表示車６の２桁目の第２日付表示部８を切り替えて更新し、メインフローの制御処理に戻る。
【００４６】
ところで、ＣＰＵがステップＳ１０で今日が月末であると判断したときには、ステップＳ１７に進んで、２３時５９分５０秒であるか否かを判断する。このとき、２３時５９分５０秒でなければ、メインフローの制御処理に戻って、２３時５９分５０秒になるまで待機する。ステップＳ１７でＣＰＵが２３時５９分５０秒であると判断したときには、ステップＳ１８に進んで、カレンダー用のステップモータ１１に逆回転用の駆動パルスを出力する指令を第２駆動回路３７に与えて、ステップモータ１１を逆回転させる。
【００４７】
これにより、第１表示車５を逆回転させ、この第１表示車５の逆回転によって第２表示車６を回転させて文字板１６の表示窓部１６ａに対する第２表示車６の２桁目の第２日付表示部８を更新する。このときには、第２日付表示部８における「０」に対応する箇所、つまり３（３０日）と１（１０日）との間に位置する中間部の白紙の箇所が文字板１６の表示窓部１６ａに対するまで、第１表示車５を逆回転させて第２表示車６を回転させる。
【００４８】
例えば、図１５（ａ）に示すように、今日が２月２９日（閏年）である場合には、第１表示車５の逆回転によって第２表示車６を回転させて、図１５（ｂ）に示すように、文字板１６の表示窓部１６ａに対する第２表示車６の２桁目の第２日付表示部８を白紙の箇所に切り替える。このときには、第１表示車５が１８０度逆回転し、第１表示車５の１桁目の第１日付表示部７である「４日」が文字板１６の表示窓部１６ａに対応する。
【００４９】
そして、２桁目である第２表示車６の第２日付表示部８が切り替わると、ＣＰＵはステップＳ１９に進で、カレンダー用のステップモータ１１に正回転用の駆動パルスを出力する指令を第２駆動回路３７に与えて、ステップモータ１１を正回転させる。このときには、ステップＳ１８で第１表示車５が１８０度逆回転しているので、その逆回転した分だけ第１表示車５を正回転させた上、更に第１表示車５を日付の更新分、例えば第１クラッチ歯１４の８歯分だけ正回転させる。
【００５０】
例えば、図１５（ｂ）に示すように、第１表示車５の１桁目の第１日付表示部７の「４日」が文字板１６の表示窓部１６ａに対しているので、第１表示車５を１８０度正回転させると、１桁目の第１日付表示部７が「９日」になり、更に第１表示車５を第１日付表示部７の日付の２日分、例えば第１クラッチ歯１４の８歯分だけ正回転させる。このときには、図１５（ｃ）に示すように、第１表示車５の正回転によって文字板１６の表示窓部１６ａに対応する１桁目の第１日付表示部７が「９日」から「０日」を経て「１日」になる。
【００５１】
これにより、１桁目の第１日付表示部７の「１日」が文字板１６の表示窓部１６ａに対応して日付が切り替わる。このときにも、第２表示車６は空転し、２桁目の日付である第２日付表示部８の日付は白紙の箇所のままの状態を維持しているので、文字板１６の表示窓部１６ａに対応する日付が「１日」になる。このように、文字板１６の表示窓部１６ａに対応する日付を更新した後は、メインフローの制御処理に戻る。
【００５２】
このように、この電子時計における表示装置であるカレンダー機構部４によれば、第１日付表示部７を有する第１表示車５と、第２日付表示部８を有する第２表示車６と、正回転および逆回転して第１表示車５を正回転および逆回転させる駆動源であるカレンダー用のステップモータ１１と、第１表示車５の正回転時に当該第１表示車５のみを正回転させる一方で、第１表示車５の逆回転時に第２表示車６を当該第１表示車５と共に逆回転させる一方向回転部１３とを備えているので、構造が簡単で、１つのステップモータ１１の正回転および逆回転によって第１、第２の各日付表示部７、８を容易に且つ最適に切り替えて更新することができる。
【００５３】
すなわち、この電子時計のカレンダー機構部４によれば、駆動源であるステップモータ１１を正回転させて第１表示車５の第１日付表示部７を切り替えることができると共に、一方向回転部１３によって第１表示車５のみを正回転させることができ、これにより第２表示車６の第２日付表示部８をそのままの状態に維持することができる。また、ステップモータ１１を逆回転させて第１表示車５を逆回転させると、一方向回転部１３によって第２表示車６を第１表示車５と共に逆回転させて第２表示車６の第２日付表示部８を切り替えて更新することができる。
【００５４】
これにより、このカレンダー機構部４によれば、一方向回転部１３を有するだけの簡単な構造で、１つのステップモータ１１の正回転および逆回転によって第１、第２の各日付表示部７、８を容易に且つ適確に切り替えることができると共に、第１表示車５に第１日付表示部７を設け、第２表示車６に第２日付表示部８を設けているので、日付表示を既存のものよりも３倍程度大きく表示することができ、これにより日付表示を見易くすることができる。
【００５５】
この場合、一方向回転部１３は、第１表示車５に設けられた第１クラッチ歯１４と、第２表示車６に設けられて第１クラッチ歯１４に噛み合う第２クラッチ歯１５とを有し、第１クラッチ歯１４と第２クラッチ歯１５とが上下に重なり合った状態で、第１表示車５の正回転時に第１クラッチ歯１４と第２クラッチ歯１５との噛み合いがずれて第１表示車５のみを正回転させる一方で、第１表示車５の逆回転時に第１クラッチ歯１４と第２クラッチ歯１５とが噛み合って回転して第２表示車６を第１表示車５と共に逆回転させる構成であるから、第１表示車５の正回転により第１日付表示部７を切り替えることができると共に、第１表示車５のみを正回転させて第２表示車６の第２日付表示部８をそのまま維持することができ、また第１表示車５の逆回転により第２表示車６の第２日付表示部８を切り替えることができる。
【００５６】
すなわち、第１表示車５が正回転する際には、第１クラッチ歯１４に対する第２クラッチ歯１５の噛み合いがずれて第１表示車５のみを正回転させることができ、これにより第１表示車５の第１日付表示部７のみを切り替えることができると共に、第２表示車６の第２日付表示部８をそのままの状態で維持させることができる。また、第１表示車５が逆回転する際には、第１クラッチ歯１４が第２クラッチ歯１５に噛み合って回転して第２表示車６を第１表示車５と共に逆回転させることができ、これにより第２表示車６の第２日付表示部８を確実に切り替えることができる。
【００５７】
また、このカレンダー機構部４では、一方向回転部１３の第１クラッチ歯１４と第２クラッチ歯１５とのそれぞれが、第１表示車５の正回転方向に向けて緩やかに傾斜する滑り面１４ａ、１５ａと、第１表示車５の逆回転方向に位置する滑り面１４ａ、１５ａの端部に設けられた押圧面１４ｂ、１５ｂとを有していることにより、第１表示車５が正回転する際に、第１クラッチ歯１４の滑り面１４ａと第２クラッチ歯１５の滑り面１５ａとを良好に滑らせて円滑にずらすことができる。
【００５８】
また、このカレンダー機構部４では、第１表示車５が逆回転する際に、第１クラッチ歯１４の押圧面１４ｂと第２クラッチ歯１５の押圧面１５ｂとを互いに当接させることができるので、第１表示車５の回転によって第２表示車６を確実に回転させることができる。これにより、第１表示車５を正回転および逆回転させることにより、第１、第２の各表示車５、６の各日付表示部７、８を確実に且つ適確に切り替えることができる。
【００５９】
この場合、第１表示車５は、その中央部に円形孔５ａが設けられたリング状に形成され、その円形孔５ａの内周部には、第１クラッチ歯１４が環状に設けられており、第２表示車６は、第１表示車５の円形孔５ａに回転可能な状態で配置される円形状に形成され、その外周部には、第１クラッチ歯１４に重なって噛み合う第２クラッチ歯１５が環状に設けられていることにより、第１、第２の各表示車５、６をコンパクトに構成することができ、これにより腕時計全体のコンパクト化および小型化を図ることができる。
【００６０】
また、このカレンダー機構部４では、第１表示車５が正回転する際に第２表示車６の回転を規制する一方で、第１表示車５が逆回転する際に第２表示車６の回転規制を解除するように、第２表示車６の回転を制動するための制動部材１７を備えていることにより、第１表示車５の正回転および逆回転によって第２表示車６を空転および回転させることができ、これにより第２表示車６の動作信頼性を高めることができる。
【００６１】
すなわち、このカレンダー機構部４では、第１表示車５が正回転する際に、制動部材１７によって第２表示車６の回転を規制して、第２表示車６が回転するのを阻止することができ、これにより第１表示車５のみを正回転させて第２表示車６を良好に空転させることができる。また、第１表示車５が逆回転する際には、制動部材１７によって第２表示車６の回転規制を解除することができ、これにより第１表示車５の第１クラッチ歯１４と第２表示車６の第２クラッチ歯１５とを確実に噛み合わせて、第２表示車６を第１表示車５と共に確実に逆回転させることができる。
【００６２】
この場合、制動部材１７は、第２表示車６の下側に配置されて第２クラッチ歯１５を第１クラッチ歯１４に弾力的に押し付ける板ばね部１８を有し、この板ばね部１８が第１表示車５の正回転方向に向けて徐々に立ち上がる状態で傾斜し、この傾斜した先端部が第２表示車６に設けられた傾斜凹部２０に係脱可能に係止される構成であるから、第１表示車５の正回転時に第２表示車６の回転を確実に規制することができ、また第１表示車５の逆回転時に第２表示車６の回転規制を確実に解除することができる。
【００６３】
すなわち、この制動部材１７によれば、第１表示車５が正回転する際に、板ばね部１８の先端を第２表示車６の傾斜凹部２０に係止させて、第２表示車６の回転を確実に規制することができる一方で、第１表示車５が逆回転する際に、板ばね部１８を上下方向に弾性変形させて傾斜凹部２０から離脱させることができ、これにより第２表示車６の回転規制を確実に解除させて、第２表示車６を第１表示車５と共に円滑に逆回転させることができる。
【００６４】
（第２実施形態）
次に、図１６〜図２０を参照して、この発明を電子腕時計に適用した第２実施形態について説明する。なお、図１〜図１５に示された第１実施形態と同一部分には同一符号を付して説明する。
この電子腕時計のカレンダー機構部４０は、図１６に示すように、第１表示車４１と第２表示車４２とが第１実施形態と異なる構成であり、これ以外は第１実施形態とほぼ同じ構成になっている。
【００６５】
すなわち、第１表示車４１は、図１６に示すように、中央部に円形孔４１ａが設けられたリング形状に形成されている。また、第２表示車４２は、円形状に形成され、第１表示車４１の外周部に隣接した状態で配置されるように構成されている。この第１表示車４１と第２表示車４２とは、図１７に示すように、時計モジュール２のハウジング１０上に回転可能に配置されている。
【００６６】
この場合、第１表示車４１は、図１６に示すように、カレンダー用のステップモータ１１の回転が伝達車１２を介して伝達され、これにより正回転および逆回転するように構成されている。すなわち、この第１表示車４１の円形孔４１ａの内周部には、内歯４１ｂが環状に設けられている。カレンダー用のステップモータ１１は、第１実施形態と同様、コイルが巻き付けられたステータ１１ａと、このステータ１１ａに発生する磁界によって回転するロータ１１ｂとを備え、このロータ１１ｂが正回転および逆回転するように構成されている。
【００６７】
このステップモータ１１は、図１６に示すように、第１表示車４１の円形孔４１ａに対応して配置されている。伝達車１２は、第１実施形態と同様、ステップモータ１１のロータ１１ｂのカナに噛み合って回転すると共に、伝達車１２のカナ１２ａが第１表示車４１の内歯４１ｂに噛み合って回転するように構成されている。これにより、第１表示車４１は、ステップモータ１１によって正回転および逆回転するように構成されている。
【００６８】
また、この第１表示車４１と第２表示車４２とは、第１実施形態と同様、第１表示車４１の正回転時に当該第１表示車４１のみを正回転させる一方で、第１表示車４１の逆回転時に第２表示車４２を第１表示車４１と共に逆回転させる一方向回転部１３を備えている。この一方向回転部１３は、図１８（ａ）および図１８（ｂ）に示すように、第１表示車４１の外周部に設けられた第１クラッチ歯１４と、第２表示車４２の外周部に設けられて第１クラッチ歯１４に噛み合う第２クラッチ歯１５とを有している。
【００６９】
この第１クラッチ歯１４と第２クラッチ歯１５とは、図１７に示すように、上下に重なり合うように構成されている。すなわち、第１クラッチ歯１４は、第１表示車４１の外周面の上部にその外側に向けて突出した状態で設けられている。第２クラッチ歯１５は、第２表示車４２の外周面の下部にその外側に向けて突出した状態で設けられている。これにより、第１クラッチ歯１４は、第１実施形態と同様、第２クラッチ歯１５の上側に重なり合った状態で配置されている。
【００７０】
この場合にも、第１クラッチ歯１４は、図１８（ｂ）に示すように、第１表示車４１の正回転方向（時計回り方向）に向けて緩やかに上昇して傾斜する滑り面１４ａと、第１表示車４１の逆回転方向（反時計回り方向）に位置する滑り面１４ａの端部にほぼ垂直または鋭角に設けられた押圧面１４ｂとを有している。同様に、第２クラッチ歯１５は、第１表示車４１の正回転方向に向けて緩やかに上昇して傾斜する滑り面１５ａと、第１表示車４１の逆回転方向に位置する滑り面１５ａの端部にほぼ垂直または鋭角に設けられた押圧面１５ｂとを有している。
【００７１】
これにより、一方向回転部１３は、第１表示車４１が正回転（図１６では時計回り方向に回転）する際に、図１９（ｂ）に示すように、第１クラッチ歯１４の滑り面１４ａと第２クラッチ歯１５の滑り面１５ａとが相互に滑り合って、第１クラッチ歯１４と第２クラッチ歯１５との噛み合いがずれることにより、第１表示車４１のみを正回転させるように構成されている。
【００７２】
また、この一方向回転部１３は、第１表示車４１が逆回転（図１６では反時計回り方向に回転）する際に、図２０（ｂ）に示すように、第１クラッチ歯１４の押圧面１４ｂと第２クラッチ歯１５の押圧面１５ｂとが相互に当接して押圧し合うことにより、第１クラッチ歯１４と第２クラッチ歯１５とが噛み合った状態で、第２表示車４２を第１表示車４１と共に逆回転させるように構成されている。
【００７３】
この場合にも、第１表示車４１と第２表示車４２との上側には、図１７に示すように、文字板１６が配置されている。この文字板１６の所定箇所には、図１６に示すように、第１、第２の各日付表示部７、８の一部が対応する表示窓部１６ａが設けられている。これに伴って、第１クラッチ歯１４と第２クラッチ歯１５とは、文字板１６の表示窓部１６ａにおける回転方向の長さが所定の長さ、例えば表示窓部１６ａの１／４程度の長さで形成されている。
【００７４】
すなわち、第１クラッチ歯１４と第２クラッチ歯１５とは、図１８（ｂ）に示すように、第１表示車４１の回転方向における長さ（ピッチ）が表示窓部１６ａの径方向における長さの所定長さ、例えば１／４程度の長さで形成されている。このため、第１クラッチ歯１４と第２クラッチ歯１５とは、表示窓部１６ａに対してそれぞれ所定の歯数、例えば４歯ずつ対応して配置されるように構成されている。
【００７５】
一方、第２表示車４２と時計モジュール２のハウジング１０との間には、第１実施形態と同様、制動部材１７が配置されている。この制動部材１７も、第１実施形態と同様、第２表示車４２とほぼ同じ大きさの円板状に形成されている。この制動部材１７は、第１実施形態と同様、ハウジング１０上に固定されている。この制動部材１７には、第２表示車４２を弾力的に押し上げて第２クラッチ歯１５を第１クラッチ歯１４に弾力的に押し付ける複数の板ばね部１８が設けられている。
【００７６】
これにより、制動部材１７は、図１９（ａ）〜図１９（ｃ）に示すように、第１表示車４１が正回転する際に、第２表示車４２の回転に伴って板ばね部１８の先端が第２表示車４２の傾斜凹部２０の傾斜面２０ａに沿って相対的に移動し、この板ばね部１８の先端が傾斜凹部２０の当接面２０ｂに当接して係止されることにより、第２表示車４２の回転を阻止するように構成されている。
【００７７】
また、この制動部材１７は、図１９（ａ）〜図１９（ｃ）に示すように、板ばね部１８が第２表示車４２の回転を阻止した状態で、第１表示車４１の正回転に伴って第１クラッチ歯１４の滑り面１４ａと第２クラッチ歯１５の滑り面１５ａとが相互に滑り合って、第１クラッチ歯１４と第２クラッチ歯１５との噛み合いがずれる際に、板ばね部１８が第２表示車４２によって押し下げられることにより、板ばね部１８が上下に弾性変形して、第１クラッチ歯１４と第２クラッチ歯１５との噛み合いを順次ずらすように構成されている。
【００７８】
さらに、この制動部材１７は、図２０（ａ）〜図２０（ｃ）に示すように、第１表示車４１が逆回転する際に、第２表示車４２の回転に伴って板ばね部１８の先端が第２表示車４２の傾斜凹部２０の傾斜面２０ａに沿って相対的に移動して傾斜凹部２０内から離脱することにより、第２表示車４２の回転規制を解除して、第２表示車４２を第１表示車４１と共に逆回転させるように構成されている。
【００７９】
次に、このカレンダー機構部４０の作用について説明する。
まず、今日が月末で、次の日にちは２桁目が変わらない場合で、２３時５９分５０秒になった際には、ステップモータ１１を正回転させて、第１表示車４１を日付の１日分、例えば第１クラッチ歯１４の４歯分だけ正回転させる。これにより、文字板１６の表示窓部１６ａに対応する第１表示車４１の１桁目の第１日付表示部７を切り替えて更新する。このときには、第１表示車４１が回転しても、第２表示車４２は回転しない。
【００８０】
すなわち、第１表示車４１が正回転する際には、第１実施形態と同様、制動部材１７の板ばね部１８の先端が第２表示車４２の傾斜凹部２０の当接面２０ｂに当接し、第２表示車４２の回転が阻止されている。このため、第１表示車４１の第１クラッチ歯１４の滑り面１４ａと第２表示車４２の第２クラッチ歯１５の滑り面１５ａとが相互に滑り合って、第１クラッチ歯１４と第２クラッチ歯１５との噛み合いがずれる。
【００８１】
このときには、制動部材１７の板ばね部１８が第２表示車４２によって押し下げられて弾性変形しながら、第１クラッチ歯１４と第２クラッチ歯１５との噛み合いが順次ずれる。これにより、第１表示車４１が回転して、文字板１６の表示窓部１６ａに対応する１桁目の日付である第１日付表示部７の日付が切り替わって更新される。このときには、第１表示車４１のみを正回転して、第２表示車６の２桁目の日付である第２日付表示部８の日付はそのままの状態を維持する。
【００８２】
また、次の日にちは２桁目が変わる場合には、２３時５９分５０秒になると、ステップモータ１１を逆回転させて、第１表示車４１を第２表示車４２における第２日付表示部８の１つの日付分、例えば第１クラッチ歯１４の１４歯分だけ逆回転させ、これにより第２表示車４２を回転させて２桁目の第２日付表示部８を切り替える。すなわち、第１表示車４１が逆回転する際には、図２０（ｃ）に示すように、制動部材１７の板ばね部１８の先端が第２表示車４２の傾斜凹部２０の傾斜面２０ａに沿って相対的に移動して傾斜凹部２０から離脱するので、第２表示車４２の回転規制が解除される。
【００８３】
このため、図２０（ｂ）に示すように、第１表示車４１の第１クラッチ歯１４の押圧面１４ｂと第２表示車４２の第２クラッチ歯１５の押圧面１５ｂとが相互に当接し合って、第１クラッチ歯１４と第２クラッチ歯１５とが噛み合った状態で、第２表示車４２が第１表示車４１と共に逆回転する。このときには、第１表示車４１が逆回転して文字板１６の表示窓部１６ａに対応する１桁目の第１日付表示部７が所定角度、例えば９０度分だけ逆回転して３日前に戻ると共に、第２表示車４２が回転して文字板１６の表示窓部１６ａに対応する２桁目の第２日付表示部８が１つの表示分だけ繰り上がって切り替わる。
【００８４】
この状態では、第１表示車４１が逆回転して、１桁目の第１日付表示部７が所定角度、例えば９０度逆回転してほぼ３日前に戻っている。このため、ステップモータ１１を正回転させ、第１表示車４１をその逆回転した分だけ正回転させた上、更に日付の１日分、例えば第１クラッチ歯１４の４歯分だけ正回転させる。このときには、第１表示車４１のみを正回転して、第２表示車４２の２桁目の日付である第２日付表示部８の日付はそのままの状態を維持する。これにより、文字板１６の表示窓部１６ａに対応する第１表示車４１の１桁目の第１日付表示部７および第２表示車４２の２桁目の第２日付表示部８が切り替わって更新される。
【００８５】
ところで、今日が月末である場合には、２３時５９分５０秒になると、ステップモータ１１を逆回転させて、第１表示車４１を逆回転させ、この第１表示車４２の逆回転によって第２表示車４２を回転させて文字板１６の表示窓部１６ａに対する第２表示車４２の２桁目の第２日付表示部８を切り替える。このときには、第２日付表示部８における「０」に対応する箇所、つまり３（３０日）と１（１０日）との間に位置する中間部の白紙の箇所が文字板１６の表示窓部１６ａに対するまで、第１表示車４１を逆回転させて第２表示車４２を回転させる。
【００８６】
例えば、図１５（ａ）に示した第１実施形態と同様、今日が２月２９日（閏年）である場合には、第１表示車４１の逆回転によって第２表示車４２を回転させて、図１５（ｂ）に示したように、文字板１６の表示窓部１６ａに対する第２表示車４２の２桁目の第２日付表示部８を白紙の箇所に切り替える。このときには、第１表示車４１が１８０度逆回転し、第１表示車４１の１桁目の第１日付表示部７である「４日」が文字板１６の表示窓部１６ａに対応する。
【００８７】
そして、２桁目である第２表示車４２の第２日付表示部８が切り替わると、ステップモータ１１を正回転させ、第１表示車４１を１８０度正回転させた上、更に第１表示車４１を日付の更新分、例えば第１クラッチ歯１４の８歯分だけ正回転させる。このときには、第１表示車４１が１８０度逆回転しているので、その逆回転した分だけ第１表示車４１を正回転させた上、更に第１表示車４１を日付の更新分、例えば第１クラッチ歯１４の８歯分だけ正回転させる。
【００８８】
例えば、図１５（ｂ）に示したように、第１表示車４１の１桁目の第１日付表示部７の「４日」が文字板１６の表示窓部１６ａに対しているので、第１表示車４１を１８０度正回転させると、１桁目の第１日付表示部７が「９日」になり、更に第１表示車４１を日付の２日分、例えば第１クラッチ歯１４の８歯分だけ正回転させる。このときには、図１５（ｃ）に示したように、第１表示車４１の正回転によって文字板１６の表示窓部１６ａに対応する１桁目の第１日付表示部７が「９日」から「０日」を経て「１日」になる。
【００８９】
これにより、１桁目の第１日付表示部７の１日が文字板１６の表示窓部１６ａに対応して日付が切り替わって更新される。このときには、第１表示車４１のみを正回転して、第２表示車４２の２桁目の日付である第２日付表示部８の日付は白紙の箇所のままの状態を維持しているので、文字板１６の表示窓部１６ａに対応する日付が「１日」になる。
【００９０】
このように、この電子腕時計における表示装置であるカレンダー機構部４０によれば、第１実施形態と同様、駆動源であるステップモータ１１を正回転させて第１表示車４１の第１日付表示部７を切り替えて更新することができると共に、一方向回転部１３によって第１表示車４１のみを正回転させることができ、これにより第２表示車４２の第２日付表示部８をそのままの状態に維持することができる。
【００９１】
また、このカレンダー機構部４０によれば、第１実施形態と同様、ステップモータ１１を逆回転させて第１表示車４１を逆回転させると、一方向回転部１３によって第２表示車４２を第１表示車４１と共に逆回転させることができ、この第２表示車４２の回転によって第２表示車４２の第２日付表示部８を切り替えて更新することができる。
【００９２】
これにより、このカレンダー機構部４０においても、第１実施形態と同様、一方向回転部１３を有するだけの簡単な構造で、１つのステップモータ１１の正回転および逆回転によって第１、第２の各日付表示部７、８を容易に且つ適確に切り替えることができると共に、第１表示車４１に第１日付表示部７を設け、第２表示車４２に第２日付表示部８を設けているので、第１実施形態と同様、日付表示を既存のものよりも３倍程度大きく表示することができ、日付表示を見易くすることができる。
【００９３】
この場合、第１表示車４１は円形状に形成され、その外周部には第１クラッチ歯１４が環状に設けられており、第２表示車４２は円形状に形成されて第１表示車４１の外周部に隣接して配置され、その外周部には第１クラッチ歯１４に重なって噛み合う第２クラッチ歯１５が環状に設けられているので、第１表示車４１と第２表示車４２とをそれぞれ別々に時計モジュール２のハウジング１０に組み付けることができ、これにより組み立て作業性の向上を図ることができる。
【００９４】
（第３実施形態）
次に、図２１〜図２４を参照して、この発明を電子腕時計に適用した第３実施形態について説明する。この場合にも、図１〜図１５に示された第１実施形態と同一部分には同一符号を付して説明する。
この電子腕時計のカレンダー機構部５０は、図２１に示すように、第１表示車５と第２表示車６とを制動する制動部材５１が第１実施形態と異なる構成であり、これ以外は第１実施形態とほぼ同じ構成になっている。
【００９５】
すなわち、この制動部材５１は、図２１〜図２３に示すように、第２表示車６に設けられた円形孔５２内に弾力的に偏心可能に設けられた円形板５３を備え、この円形板５３の外周部に第１鋸歯５４を設けると共に、第２表示車６の円形孔５２の内周部に第１鋸歯５４に弾力的に係脱可能に係合する第２鋸歯５５を設けた構成になっている。この場合、円形板５３は、非回転状態でハウジング１０上にスライド可能に配置されている。
【００９６】
例えば、円形板５３には、図２３および図２４に示すように、長孔５３ａが設けられており、ハウジング１０上には、円形板５３の長孔５３ａ内にスライド可能に挿入する断面非円形状のガイド軸５６が設けられている。また、このガイド軸５６と長孔５３ａとの間には、円形板５３の外周部の一部を第２表示車６の円形孔５２の一部に弾力的に押し付けるためのばね部材５７が設けられている。
【００９７】
また、この円形板５３の第１鋸歯５４は、図２３に示すように、第１表示車５の正回転方向（図２４（ａ）では時計回り方向）に向けて緩やかに突出して傾斜する滑り面５４ａと、第１表示車５の逆回転方向（図２４（ｂ）では反時計回り方向）に位置する滑り面５４ａの端部にほぼ垂直もしくは鋭角に設けられた押圧面５４ｂとを有している。
【００９８】
同様に、第２鋸歯５５は、図２４（ａ）および図２４（ｂ）に示すように、第１表示車５の正回転方向（図２４（ａ）では時計回り方向）に向けて緩やかに食い込んで傾斜する滑り面５５ａと、第１表示車５の逆回転方向（図２４（ｂ）では反時計回り方向）に位置する滑り面５５ａの端部にほぼ垂直もしくは鋭角に設けられた押圧面５５ｂとを有している。
【００９９】
これにより、制動部材５１は、図２４（ａ）に示すように、第１表示車５が正回転する際に、円形板５３が片側に向けて弾力的に変位して、第１鋸歯５４の押圧面５４ｂと第２鋸歯５５の押圧面５５ｂとの一部が相互に押圧し合って、第１鋸歯５４と第２鋸歯５５との一部が互いに噛み合うように係合し、第２表示車６の回転を規制して第１表示車５のみを正回転させるように構成されている。
【０１００】
また、この制動部材５１は、図２４（ｂ）に示すように、第１表示車５が逆回転する際に、第１鋸歯５４の滑り面５４ａと第２鋸歯５５の滑り面５５ａとが、円形板５３を弾力的に変位させながら、相互に滑り合って第１鋸歯５４と第２鋸歯５５との噛み合いを順次解除し、第２表示車６を第１表示車５と共に逆回転させるように構成されている。
【０１０１】
このような電子腕時計のカレンダー機構部５０によれば、第１実施形態と同様の作用効果があるほか、第１表示車５が正回転する際に第２表示車６の回転を規制する一方で、第１表示車５が逆回転する際に第２表示車６の回転規制を解除するように、第２表示車６の回転を制動する制動部材５１を備えているので、第１実施形態１と同様、第１表示車５の正回転および逆回転によって第２表示車６を空転および回転させることができ、これにより第２表示車６の動作信頼性を高めることができる。
【０１０２】
すなわち、このカレンダー機構部５０によれば、第１表示車５が正回転する際に、制動部材５１によって第２表示車６の回転を規制して、第２表示車６が回転するのを阻止することができ、これにより第２表示車６を良好に空転させることができる。また、第１表示車５が逆回転する際に、第１実施形態１と同様、制動部材５１によって第１表示車５の第１クラッチ歯１４と第２表示車６の第２クラッチ歯１５とを確実に噛み合わせることができ、これにより第１表示車５の回転によって第２表示車６を確実に回転させることができる。
【０１０３】
この場合、制動部材５１は、第２表示車６に設けられた円形孔５２内に弾力的に偏心可能に設けられた円形板５３を備え、この円形板５３の外周部に第１鋸歯５４を設け、第２表示車６の円形孔５２の内周部に第１鋸歯５４に弾力的に係脱可能に係合する第２鋸歯５５を設けた構成であるから、第１表示車５の正回転時に第２表示車６の回転を確実に規制して第１表示車５のみを正回転させることができ、また第１表示車５の逆回転時に第２表示車６の回転規制を確実に且つ良好に解除することができる。
【０１０４】
すなわち、この制動部材５１によれば、第１表示車５が正回転する際に、円形板５３の第１鋸歯５４が第２表示車６の第２鋸歯５５に係合して、第２表示車６の回転を確実に規制することができる一方で、第１表示車５が逆回転する際に、円形板５３を弾力的に変位させながら、第１鋸歯５４と第２鋸歯５５との噛み合いを順次解除させることができ、これにより第２表示車６の回転規制を確実に解除させて、第２表示車６を第１表示車５と共に円滑に逆回転させることができる。
【０１０５】
なお、上述した第３実施形態では、第１表示車５の円形孔５ａ内に第２表示車６を回転可能に配置し、この第２表示車６の回転を制動部材５１で制動するように構成した場合について述べたが、これに限らず、例えば図２５に示す変形例のように、第１表示車４１の外周部に第２表示車４２を隣接させて配置した第２実施形態において、第２表示車６の回転を制動部材５１で制動するように構成しても良い。
【０１０６】
また、上述した第１実施形態および第３実施形態では、第１表示車５に１桁目の第１日付表示部７を設け、第２表示車６に２桁目の第２日付表示部８を設けた場合について述べたが、これに限らず、例えば図２６に示す変形例のように、第１表示車５に１日〜３１日の日付表示部５８を設け、第２表示車６に月〜日の曜日表示部５９を設けた構成であっても良く、またこれに限らず、第１表示車５に１月〜１２月の月表示部を設け、第２表示車６に月〜日の曜日表示部（いずれも図示せず）を設けた構成であっても良い。このように構成すれば、日付や曜日、月などを自由に組み合わせて良好に表示することができる。
【０１０７】
さらに、上述した第２実施形態では、第１表示車４１に１桁目の第１日付表示部７を設け、第２表示車４２に２桁目の第２日付表示部８を設けた場合について述べたが、これに限らず、例えば図２７に示す他の変形例のように、第１表示車４１に１日〜３１日の日付表示部５８を設け、第２表示車４２に月〜日の曜日表示部５９を設けた構成であっても良く、またこれに限らず、第１表示車４１に１月〜１２月の月表示部を設け、第２表示車４２に月〜日の曜日表示部（いずれも図示せず）を設けた構成であっても良い。このように構成しても、日付や曜日、月などを自由に組み合わせて良好に表示することができる。
【０１０８】
（第４実施形態）
次に、図２８〜図３１を参照して、この発明を電子腕時計に適用した第４実施形態について説明する。この場合にも、図１〜図１５に示された第１実施形態と同一部分には同一符号を付して説明する。
この電子腕時計のカレンダー機構部６０は、図２８および図２９に示すように、第１表示車６１の上側に第２表示車６２を重ね合わせた構成であり、これ以外は第１実施形態とほぼ同じ構成になっている。
【０１０９】
第１表示車６１は、図２８および図３０に示すように、円板状に形成されており、その上面には、第１実施形態と同様、０〜９の１桁目の第１日付表示部７が環状に設けられている。この第１表示車６１は、図２８および図３０に示すように、カレンダー用のステップモータ１１の回転が伝達車１２を介して伝達されて回転するように構成されている。すなわち、この第１表示車６１の外周縁には、伝達車１２のカナ１２ａに噛み合って回転する外歯６１ａが設けられている。伝達車１２は、実施形態１と同様、ステップモータ１１のロータ１１ｂによって正回転および逆回転するように構成されている。
【０１１０】
第２表示車６２は、図２８および図２９に示すように、第１表示車６１の外径よりも少し小さい円板状に形成されている。この第２表示車６２の上面には、図３１に示すように、１〜３の２桁目の第２日付表示部８が所定間隔（例えば９０度の角度間隔）で設けられている。また、この第２日付表示部８の各日付表示に隣接する箇所、および１（１０日）と３（３０日）との間に位置する白紙の箇所には、図２８および図３１に示すように、第１日付表示部７のいずれかが対応する表示開口部６３がそれぞれ設けられている。この表示開口部６３は、第２表示車６２に９０度の角度間隔で４個設けられている。
【０１１１】
この場合、第２表示車６２の上側には、図２９に示すように、文字板１６が配置されている。この文字板１６の１２時側に位置する箇所には、図２８に示すように、表示窓部１ａが第１、第２の各日付表示部７、８に対応して設けられている。これにより、文字板１６の表示窓部１６ａは、１桁目の第１日付表示部７のいずれかが第２表示車６２の表示開口部６３を通して露呈すると共に、２桁目の第２日付表示部８のいずれかが露呈するように構成されている。
【０１１２】
ところで、第１表示車６１と第２表示車６２とは、図２８〜図３１に示すように、第１表示車５の正回転時に第１表示車６１のみを正回転させる一方で、第１表示車５の逆回転時に第２表示車６２を第１表示車６１と共に逆回転させる一方向回転部１３を備えている。この一方向回転部１３は、第１実施形態と同様、第１表示車６１の外周部に設けられた第１クラッチ歯１４と、第２表示車６２の外周部に設けられて第１クラッチ歯１４に噛み合う第２クラッチ歯１５とを有している。
【０１１３】
この第１クラッチ歯１４と第２クラッチ歯１５とは、第１実施形態と同様、上下に重なり合うように構成されている。すなわち、第１クラッチ歯１４は、第１表示車６１の上面における外周部に位置して設けられている。第２クラッチ歯１５は、第２表示車６２の下面における外周部に位置して設けられている。このため、第１クラッチ歯１４は、第２クラッチ歯１５の下側に重なり合った状態で配置されている。
【０１１４】
これにより、この一方向回転部１３も、第１実施形態と同様、第１表示車６１が正回転する際に、第１クラッチ歯１４の滑り面１４ａと第２クラッチ歯１５の滑り面１５ａとが相互に滑り合って、第１クラッチ歯１４と第２クラッチ歯１５との噛み合いがずれることにより、第１表示車６１のみを正回転させるように構成されている。
【０１１５】
また、この一方向回転部１３は、第１実施形態と同様、第１表示車６１が逆回転する際に、第１クラッチ歯１４の押圧面１４ｂと第２クラッチ歯１５の押圧面１５ｂとが相互に当接して押圧し合うことにより、第１クラッチ歯１４と第２クラッチ歯１５とが噛み合った状態で、第２表示車６２を第１表示車６１と共に逆回転させるように構成されている。
【０１１６】
一方、第２表示車６２と文字板１６との間には、図２９に示すように、制動部材１７が配置されている。この制動部材１７は、第２表示車６２とほぼ同じ大きさの円板状に形成され、文字板１６に対して固定されている。この制動部材１７には、第２表示車６２を弾力的に押し下げて第２クラッチ歯１５を第１クラッチ歯１４に弾力的に押し付ける複数の板ばね部１８が設けられている。
【０１１７】
この複数の板ばね部１８は、第１実施形態と同様、制動部材１７の１２時に対応する箇所を除く、３時、６時、９時の３箇所に、第１表示車６１の正回転方向に向けて斜めに下側に傾斜した状態で設けられている。また、この複数の板ばね部１８は、第２表示車６２に設けられた表示開口部６３にそれぞれ係脱可能に係止されるように構成されている。この場合、制動部材１７の１２時に対応する箇所には、切欠き部が文字板１６の表示窓部１６ａに対応して設けられている。
【０１１８】
これにより、制動部材１７は、第１実施形態と同様、第１表示車６１が正回転する際に、第２表示車６２の回転に伴って板ばね部１８の先端が第２表示車６２の表示開口部６３内に沿って相対的に移動し、この板ばね部１８の先端が第２表示車６２の表示開口部６３の縁部に当接して係止されることにより、第２表示車６２の回転を阻止するように構成されている。
【０１１９】
また、この制動部材１７は、第１実施形態と同様、板ばね部１８が第２表示車６２の回転を阻止した状態で、第１表示車６１の正回転に伴って第１クラッチ歯１４の滑り面１４ａと第２クラッチ歯１５の滑り面１５ａとが相互に滑り合って、第１クラッチ歯１４と第２クラッチ歯１５との噛み合いがずれる際に、板ばね部１８が第２表示車６２によって押し上げられることにより、板ばね部１８が上下に弾性変形して、第１クラッチ歯１４と第２クラッチ歯１５との噛み合いを順次ずらすように構成されている。
【０１２０】
さらに、この制動部材１７は、第１実施形態と同様、第１表示車６１が逆回転する際に、第２表示車６２の回転に伴って板ばね部１８が弾性変形しながら第２表示車６の表示開口部６３内に沿って相対的に移動し、この板ばね部１８の先端が第２表示車６の表示開口部６３内から離脱することにより、第２表示車６２の回転規制を順次解除して、第２表示車６２を第１表示車６１と共に逆回転させるように構成されている。
【０１２１】
このような電子腕時計のカレンダー機構部６０によれば、第１実施形態と同様の作用効果があるほか、ステップモータ１１を正回転させて第１表示車６１の第１日付表示部７を切り替えて更新することができると共に、一方向回転部１３によって第２表示車６２を空転させることができ、これにより第２表示車６２の第２日付表示部８をそのままの状態に維持することができる。また、ステップモータ１１を逆回転させて第１表示車６１を逆回転させると、一方向回転部１３によって第２表示車６２を第１表示車６１と共に逆回転させて第２表示車６２の第２日付表示部８を切り替えて更新することができる。
【０１２２】
これにより、このカレンダー機構部６０においても、第１実施形態と同様、一方向回転部１３を有するだけの簡単な構造で、１つのステップモータ１１の正回転および逆回転によって第１、第２の各日付表示部７、８を容易に且つ適確に切り替えることができると共に、第１表示車６１に第１日付表示部７を設け、第２表示車６２に第２日付表示部８を設けているので、第１実施形態と同様、日付表示を既存のものよりも３倍程度大きく表示することができ、これにより日付表示を見易くすることができる。
【０１２３】
すなわち、このカレンダー機構部６０では、第１日付表示部７を有する第１表示車６１の上側に配置された第２表示車６２に、第１日付表示部７のいずれかが対応する表示開口部６３を、第２表示車６２の上側に配置された文字板１６の日付表示１６ａに対応させて設けた構成であるから、文字板１６の日付表示１６ａに対応する第２表示車６２の２桁目の第２日付表示部８と、第２表示車６２の表示開口部６３に対応する１桁目の第１日付表示部７とによって、日付を表示することができ、これにより第１実施形態と同様、日付表示を既存のものよりも十分に大きく表示することができるので、日付表示を見易くすることができる。
【０１２４】
なお、上述した第４実施形態では、第２表示車６２に１（１０日）〜３（３０日）の２桁目の第２日付表示部８を所定間隔で設け、この第２日付表示部８の日付表示に隣接する箇所、および１（１０日）と３１（日）との間に位置する白紙の箇所の４箇所に表示開口部６３をそれぞれ設けた場合について述べたが、これに限らず、例えば図３２に示す変形例のように構成しても良い。
【０１２５】
すなわち、この変形例は、図３２に示すように、第２表示車６２に１（１０日）、２（２０日）、３０（日）、３１（日）の２桁目の第２日付表示部８を所定間隔で設け、この第２日付表示部８の１（１０日）、２（２０日）の第２日付表示部８にそれぞれ隣接する箇所、および１（１０日）と３１（日）との間に位置する白紙の箇所の３箇所に表示開口部６３をそれぞれ設けた構成になっている。このように構成しても、第４実施形態と同様の作用効果がある。
【０１２６】
また、上述した第４実施形態では、第１表示車６１に１桁目の第１日付表示部７を設け、第２表示車６２に２桁目の第２日付表示部８を設けた場合について述べたが、これに限らず、例えば図３３〜図３５に示す変形例のように、第１表示車６１に１月〜１２月の月表示部６４を設け、第２表示車６２に月〜日の曜日表示部６５を設けた構成であっても良い。このように構成しても、第４実施形態と同様、月と曜日を良好に表示することができる。
【０１２７】
さらに、上述した第４実施形態およびその変形例に限らず、例えば第１表示車６１に１日〜３１日の日付表示部を設け、第２表示車６２に月〜日の曜日表示部を設けた構成であっても良い。このように構成しても、日付と曜日を自由に組み合わせて良好に表示することができる。
【０１２８】
なおまた、上述した第１〜第４実施形態およびその各変形例では、指針式の電子腕時計に適用した場合について述べたが、必ずしも電子腕時計である必要はなく、例えばトラベルウオッチ、目覚まし時計、置き時計、掛け時計などの各種の電子時計に適用することができるほか、必ずしも電子時計に適用する必要はなく、カレンダー装置や、計器類のメータなどの各種の機器に広く適用することができる。
【０１２９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１３０】
（付記）
請求項１に記載の発明は、第１表示部を有する第１表示車と、第２表示部を有する第２表示車と、正回転および逆回転して前記第１表示車を正回転および逆回転させる駆動源と、前記第１表示車の正回転時に当該第１表示車のみを正回転させる一方で、前記第１表示車の逆回転時に前記第２表示車を当該第１表示車と共に逆回転させる一方向回転部とを備えていることを特徴とする表示装置である。
【０１３１】
請求項２に記載の発明は、請求項１に記載の表示装置において、前記一方向回転部は、前記第１表示車に設けられた第１クラッチ歯と、前記第２表示車に設けられて前記第１クラッチ歯に噛み合う第２クラッチ歯とを有し、前記第１クラッチ歯と前記第２クラッチ歯とが上下に重なり合った状態で、前記第１表示車の正回転時に前記第１クラッチ歯と前記第２クラッチ歯との噛み合いがずれて当該第１表示車のみを正回転させる一方で、前記第１表示車の逆回転時に前記第１クラッチ歯と前記第２クラッチ歯とが噛み合って回転して前記第２表示車を当該第１表示車と共に逆回転させることを特徴とする表示装置である。
【０１３２】
請求項３に記載の発明は、請求項２に記載の表示装置において、前記第１クラッチ歯と前記第２クラッチ歯とのぞれぞれは、前記第１表示車の正回転方向に向けて緩やかに傾斜する滑り面と、前記第１表示車の逆回転方向に位置する前記滑り面の端部に設けられた押圧面とを有していることを特徴とする表示装置である。
【０１３３】
請求項４に記載の発明は、請求項１〜請求項３のいずれかに記載の表示装置において、前記第１表示車は、その中心部に円形孔が形成されたリング状に形成され、前記円形孔の内周部に前記第１クラッチ歯が環状に設けられており、前記第２表示車は、前記第１表示車の前記円形孔内に回転可能に配置される円形状に形成され、その外周部に前記第１クラッチ歯に重なって噛み合う前記第２クラッチ歯が環状に設けられていることを特徴とする表示装置である。
【０１３４】
請求項５に記載の発明は、請求項１〜請求項３のいずれかに記載の表示装置において、前記第１表示車は、円形状に形成され、その外周部に前記第１クラッチ歯が環状に設けられており、前記第２表示車は、円形状に形成されて前記第１表示車の外周部に隣接して配置され、その外周部に前記第１クラッチ歯に重なって噛み合う前記第２クラッチ歯が環状に設けられていることを特徴とする表示装置である。
【０１３５】
請求項６に記載の発明は、請求項１〜請求項５のいずれかに記載の表示装置において、前記第１表示車が正回転する際に前記第２表示車の回転を規制する一方で、前記第１表示車が逆回転する際に前記第２表示車の回転規制を解除するように、前記第２表示車の回転を制動する制動部材を備えていることを特徴とする表示装置である。
【０１３６】
請求項７に記載の発明は、請求項６に記載の表示装置において、前記制動部材は、前記第２表示車の下側に配置されて前記第２クラッチ歯を前記第１クラッチ歯に弾力的に押し付ける板ばね部を有し、この板ばね部は、前記第１表示車の正回転方向に向けて徐々に立ち上がる状態で傾斜し、前記第１表示車が正回転する際に、前記板ばね部の先端が前記第２表示車に設けられた傾斜凹部に係止される一方で、前記第１表示車が逆回転する際に、前記板ばね部が弾性変形して前記傾斜凹部から離脱することを特徴とする表示装置である。
【０１３７】
請求項８に記載の発明は、請求項６に記載の表示装置において、前記制動部材は、前記第２表示車に設けられた円形孔に弾力的に偏心可能に配置された固定板と、この固定板の外周部に設けられた第１鋸歯と、前記第２表示車の前記円形孔の内周部に設けられて前記第１鋸歯に弾力的に係脱可能に係合する第２鋸歯とを有し、前記第１表示車が正回転する際に、前記第１鋸歯と前記第２鋸歯とが係合して前記第２表示車の回転を規制する一方で、前記第１表示車が逆回転する際に、前記第１鋸歯と前記第２鋸歯との係合が順次解除されることを特徴とする表示装置である。
【０１３８】
請求項９に記載の発明は、請求項１に記載の表示装置を収納する機器ケースを備えていることを特徴とする電子機器である。
【符号の説明】
【０１３９】
１  腕時計ケース
２  時計モジュール
３  指針
４、４０、５０、６０  カレンダー機構部
５、４１、６１  第１表示車
６、４２、６２  第２表示車
７  第１日付表示部
８  第２日付表示部
１０  ハウジング
１１  ステップモータ
１２  伝達車
１３  一方向回転部
１４、１５  第１、第２の各クラッチ歯
１４ａ、１５ａ  滑り面
１４ｂ、１５ｂ  押圧面
１６  文字板
１６ａ  表示窓部
１７、５１  制動部材
１８  板ばね部
２０  傾斜凹部
２５  時刻駆動系
２６  カレンダー駆動系
３０  制御部
５３  円形板
５４、５５  第１、第２の各鋸歯
５８  日付表示部
５９、６５  曜日表示部
６４  月表示部
【図１】
0005517004.tif 000002
【図２】
0005517004.tif 000003
【図３】
0005517004.tif 000004
【図４】
0005517004.tif 000005
【図５】
0005517004.tif 000006
【図６】
0005517004.tif 000007
【図７】
0005517004.tif 000008
【図８】
0005517004.tif 000009
【図９】
0005517004.tif 000010
【図１０】
0005517004.tif 000011
【図１１】
0005517004.tif 000012
【図１２】
0005517004.tif 000013
【図１３】
0005517004.tif 000014
【図１４】
0005517004.tif 000015
【図１５】
0005517004.tif 000016
【図１６】
0005517004.tif 000017
【図１７】
0005517004.tif 000018
【図１８】
0005517004.tif 000019
【図１９】
0005517004.tif 000020
【図２０】
0005517004.tif 000021
【図２１】
0005517004.tif 000022
【図２２】
0005517004.tif 000023
【図２３】
0005517004.tif 000024
【図２４】
0005517004.tif 000025
【図２５】
0005517004.tif 000026
【図２６】
0005517004.tif 000027
【図２７】
0005517004.tif 000028
【図２８】
0005517004.tif 000029
【図２９】
0005517004.tif 000030
【図３０】
0005517004.tif 000031
【図３１】
0005517004.tif 000032
【図３２】
0005517004.tif 000033
【図３３】
0005517004.tif 000034
【図３４】
0005517004.tif 000035
【図３５】
0005517004.tif 000036